(57)【要約】【課題】  本発明は、眼鏡フレームの装着者に画像を表示する眼鏡ディスプレイに関し、使用者が目的、好み等に応じて構成を変えることができる眼鏡ディスプレイを提供することを目的とする。【解決手段】  顔面に着脱自在に装着可能な眼鏡フレームと、前記眼鏡フレームの装着者に画像を表示するディスプレイ本体と、前記ディスプレイ本体を前記眼鏡フレームに着脱自在に取り付ける取付手段とを有することを特徴とする。【選択図】      図１
2009163049.tif 000002
【特許請求の範囲】
【請求項１】
顔面に着脱自在に装着可能な眼鏡フレームと、
前記眼鏡フレームの装着者に画像を表示するディスプレイ本体と、
前記ディスプレイ本体を前記眼鏡フレームに着脱自在に取り付ける取付手段と、
を有することを特徴とする眼鏡ディスプレイ。
【請求項２】
請求項１記載の眼鏡ディスプレイにおいて、
前記取付手段は、前記眼鏡フレームに形成される取付部と、前記ディスプレイ本体に形成され前記取付部に着脱自在に取り付けられる被取付部とを有していることを特徴とする眼鏡ディスプレイ。
【請求項３】
請求項２記載の眼鏡ディスプレイにおいて、
前記取付部は、前記眼鏡フレームに形成される溝部であり、前記被取付部は、前記ディスプレイ本体に形成され前記溝部に挿入支持される突出部であることを特徴とする眼鏡ディスプレイ。
【請求項４】
請求項２または請求項３記載の眼鏡ディスプレイにおいて、
前記取付部は、前記眼鏡フレームの左右方向の中央に形成されていることを特徴とする眼鏡ディスプレイ。
【請求項５】
請求項１ないし請求項４のいずれか１項記載の眼鏡ディスプレイにおいて、
前記取付手段は、前記眼鏡フレームに対する前記ディスプレイ本体の前後位置を調整する位置調整手段を有することを特徴とする眼鏡ディスプレイ。
【発明の詳細な説明】
【技術分野】
【０００１】
本発明は、眼鏡フレームの装着者に画像を表示する眼鏡ディスプレイに関する。
【背景技術】
【０００２】
従来、眼鏡フレームに取り付けられた表示素子に表示された画像を、眼鏡フレームに保持されたメインレンズに埋設されたコンバイナーを介して、眼鏡フレームを装着した者の目の網膜に結像させるようにした眼鏡ディスプレイが知られている。
【特許文献１】特開２００１−３２０６５１号公報
【特許文献２】特開２００１−３１８３３７号公報
【発明の開示】
【発明が解決しようとする課題】
【０００３】
しかしながら、従来の眼鏡ディスプレイでは、眼鏡フレームに表示素子等が組み込まれているため、使用者が目的、好み等に応じて眼鏡ディスプレイを構成することが困難であるという問題があった。
【０００４】
本発明は、かかる従来の問題を解決するためになされたもので、使用者が目的、好み等に応じて構成を変えることができる眼鏡ディスプレイを提供することを目的とする。
【課題を解決するための手段】
【０００５】
第１の発明の眼鏡ディスプレイは、顔面に着脱自在に装着可能な眼鏡フレームと、前記眼鏡フレームの装着者に画像を表示するディスプレイ本体と、前記ディスプレイ本体を前記眼鏡フレームに着脱自在に取り付ける取付手段とを有することを特徴とする。
【０００６】
第２の発明の眼鏡ディスプレイは、第１の発明の眼鏡ディスプレイにおいて、前記取付手段は、前記眼鏡フレームに形成される取付部と、前記ディスプレイ本体に形成され前記取付部に着脱自在に取り付けられる被取付部とを有していることを特徴とする。
【０００７】
第３の発明の眼鏡ディスプレイは、第２の発明の眼鏡ディスプレイにおいて、前記取付部は、前記眼鏡フレームに形成される溝部であり、前記被取付部は、前記ディスプレイ本体に形成され前記溝部に挿入支持される突出部であることを特徴とする。
【０００８】
第４の発明の眼鏡ディスプレイは、第２または第３の発明の眼鏡ディスプレイにおいて、前記取付部は、前記眼鏡フレームの左右方向の中央に形成されていることを特徴とする。
【０００９】
第５の発明の眼鏡ディスプレイは、第１ないし第４のいずれか１の発明の眼鏡ディスプレイにおいて、前記取付手段は、前記眼鏡フレームに対する前記ディスプレイ本体の前後位置を調整する位置調整手段を有することを特徴とする。
【発明の効果】
【００１０】
本発明では、使用者が目的、好み等に応じて眼鏡ディスプレイの構成を変えることができる。
【発明を実施するための最良の形態】
【００１１】
以下、本発明の実施形態を図面を用いて詳細に説明する。
(第１の実施形態)
図１は、本発明の眼鏡ディスプレイの第１の実施形態を示している。
【００１２】
眼鏡ディスプレイは、眼鏡フレーム１１、ディスプレイ本体１３，１５、コントローラ１７を有している。
【００１３】
眼鏡フレーム１１は、顔面に着脱自在に装着可能とされている。眼鏡フレーム１１は、フレーム本体１９を有している。フレーム本体１９の両側には、フレーム本体１９を耳に掛けるためのつる部２１が形成されている。フレーム本体１９の中央には、鼻当て２３が配置されている。また、ディスプレイ本体１３，１５を取り付けるための取付部２５が形成されている。フレーム本体１９の中央に取付部２５を配置することにより、ディスプレイ本体１３，１５の重量を安定して支持することができる。フレーム本体１９、つる部２１、取付部２５は、例えば樹脂により形成されている。
【００１４】
ディスプレイ本体１３，１５は、眼鏡フレーム１１の装着者に画像を表示する。ディスプレイ本体１３，１５には、両目タイプのディスプレイ本体１３、片目タイプのディスプレイ本体１５が用意されている。両目タイプのディスプレイ本体１３は、装着者の右目に画像を表示する右目用表示部ＨＲおよび左目に画像を表示する左目用表示部ＨＬを有している。片目タイプのディスプレイ本体１５は、装着者の右目に画像を表示する右目用表示部ＨＲのみを有している。
【００１５】
ディスプレイ本体１３，１５には、フレーム本体１９の取付部２５にディスプレイ本体１３，１５を着脱自在に取り付ける被取付部２７が形成されている。両目タイプのディスプレイ本体１３では、ディスプレイ本体１３の上面の中央に被取付部２７が形成されている。片目タイプのディスプレイ本体１５では、ディスプレイ本体１５の片側によって被取付部２７が形成されている。被取付部２７の形状は、両目タイプ、片目タイプで同一の形状とされ、フレーム本体１９の取付部２５に取り付け可能とされている。
【００１６】
フレーム本体１９の取付部２５には溝部２９が形成されている。溝部２９はフレーム本体１９の中央の下側にアリ溝状に形成されている。溝部２９は前後方向に形成されている。ディスプレイ本体１３，１５の被取付部２７はディスプレイ本体１３，１５の上面に形成されている。被取付部２７はアリ溝状の溝部２９に嵌合するアリ状の突出部３１を有している。突出部３１を溝部２９に嵌挿することによりディスプレイ本体１３，１５がフレーム本体１９に取り付けられる。
【００１７】
突出部３１は、アイポイントの位置を調整するために、溝部２９に沿って前後方向に移動可能である。突出部３１は、突出部３１と溝部２９との間の摩擦抵抗により任意の位置で停止可能である。従って、ディスプレイ本体１３，１５を指で移動して突出部３１を溝部２９に沿ってスライドすることにより眼鏡フレーム１１に対するディスプレイ本体１３，１５の前後位置を調整し、結果としてアイポイントの位置を調整することができる。
【００１８】
突出部３１の上面には、接続端子３３が配置されている。突出部３１を溝部２９に嵌挿すると溝部２９の上面に形成される端子板３５に接続端子３３が接触し導通が行われる。端子板３５は、溝部２９の前後方向に延在して形成されており、突出部３１を溝部２９に沿ってスライドした場合にも常に導通が維持される。
【００１９】
コントローラ１７は、ディスプレイ本体１３，１５を制御する。コントローラ１７はリーダー(不図示)を介して記憶媒体から画像を読み出しディスプレイ本体１３，１５に表示する。コントローラ１７は、ケーブル３７を介してディスプレイ本体１３，１５に接続さる。眼鏡フレーム１１のつる部２１およびフレーム本体１９には、ケーブル３７が挿通される空間部が形成されている。ケーブル３７の先端は、取付部２５の溝部２９に配置される端子板３５に接続されている。
【００２０】
図２は、両目タイプのディスプレイ本体１３の光学系を示している。
【００２１】
右目用表示部ＨＲおよび左目用表示部ＨＬは、それぞれ表示素子３７、レンズ３９を有している。表示素子３７は、液晶，ＬＥＤ等からなり、コントローラ１７からの画像を表示する。レンズ３９は、凸レンズからなり表示素子３７に表示された画像を右目ＩＲまたは左目ＩＬに導く。右目用表示部ＨＲおよび左目用表示部ＨＬは、前方を透過して見ることができない非透過タイプとされている。なお、片目タイプのディスプレイ本体１５は、両目タイプの片方の表示素子３７およびレンズ３９のみを有している点を除いて両目タイプのディスプレイ本体１３と同様なため詳細な説明を省略する。
【００２２】
上述した眼鏡ディスプレイでは、使用者の目的、好み等に応じて両目タイプまたは片目タイプのディスプレイ本体１３，１５が選択されて使用される。
【００２３】
両目タイプのディスプレイ本体１３を使用する場合には、図３に示すように、フレーム本体１９の取付部２５に両目タイプのディスプレイ本体１３が装着される。取付部２５へのディスプレイ本体１３の装着は、ディスプレイ本体１３を指で掴んでディスプレイ本体１３の突出部３１をフレーム本体１９の溝部２９に嵌挿することにより行われる。そして、この状態で、眼鏡フレーム１１が顔面に装着される。この状態では、ディスプレイ本体１３の右目用表示部ＨＲおよび左目用表示部ＨＬが非透過タイプであるため、ディスプレイ本体１３の前方は完全に遮光されている。
【００２４】
この後、コントローラ１７の電源(不図示)をオンにすることによりディスプレイ本体１３の表示素子３７に所定の画像が表示される。表示素子３７に表示された画像はレンズ３９を介して左目ＩＬおよび右目ＩＲの網膜に結像される。左目ＩＬおよび右目ＩＲに対する焦点が合っていない場合には、ディスプレイ本体１３を指で掴んで前後に移動し、焦点の合う位置で停止することにより位置調整が行われる。また、画像の有効視野が欠ける所謂ケラレが生じている場合にも同様な方法で位置調整が行われる。
【００２５】
片目タイプのディスプレイ本体１５を使用する場合には、図４に示すように、フレーム本体１９の取付部２５に片目タイプのディスプレイ本体１５が装着される。取付部２５へのディスプレイ本体１５の装着は、ディスプレイ本体１５を指で掴んでディスプレイ本体１５の突出部３１をフレーム本体１９の溝部２９に嵌挿することにより行われる。そして、この状態で、眼鏡フレーム１１が顔面に装着される。この状態では、ディスプレイ本体１５の右目用表示部ＨＲが非透過タイプであるため、ディスプレイ本体１５の前方は遮光されている。しかしながら、左目ＩＬの前方にディスプレイ本体１５が位置しないため、左目ＩＬの前方を目視することができる。
【００２６】
この後、コントローラ１７の電源(不図示)をオンにすることによりディスプレイ本体１５の表示素子３７に所定の画像が表示される。表示素子３７に表示された画像はレンズ３９を介して右目ＩＲの網膜に結像される。右目ＩＲに対する焦点が合っていない場合には、ディスプレイ本体１５を指で掴んで前後に移動し、焦点の合う位置で停止することにより位置調整が行われる。また、画像の有効視野が欠ける所謂ケラレが生じている場合にも同様な方法で位置調整が行われる。
【００２７】
上述した眼鏡ディスプレイでは、ディスプレイ本体１３，１５を眼鏡フレーム１１に着脱自在に取り付けるようにしたので、使用者が目的、好み等に応じて構成を容易に変えることができる。例えば、使用者の目的が室内等における鑑賞である場合には、周囲にあまり気配りする必要がないため、両目タイプのディスプレイ本体１３が眼鏡フレーム１１に装着されて使用される。一方、使用者の目的が電車内等における鑑賞である場合には、周囲に気配りする必要があるため、左目ＩＬの前方を目視することができる片目タイプのディスプレイ本体１５が眼鏡フレーム１１に装着されて使用される。また、使用者の好みに応じて両目タイプまたは片目タイプのディスプレイ本体１３，１５が選択されて使用される。
【００２８】
上述した眼鏡ディスプレイでは、眼鏡フレーム１１に対するディスプレイ本体１３，１５の前後位置を調整可能にしたので、使用者が代わった場合にも焦点合わせ、有効視野の調整を容易に行うことができる。従って、複数人が使用する業務用等の眼鏡ディスプレイとしても好適である。
(第２の実施形態)
図５は、本発明の眼鏡ディスプレイの第２の実施形態を示している。なお、この実施形態において第１の実施形態と同一の要素には同一の符号を付して詳細な説明を省略する。
【００２９】
この実施形態では、眼鏡フレーム１１のフレーム本体１９には、左右のリム部４１が一体形成されている。左右のリム部４１には、眼鏡レンズ４３が保持されている。従って、フレーム本体１９にディスプレイ本体１３Ａ，１５Ａが装着されていない時には、通常の眼鏡として使用することができる。
【００３０】
ディスプレイ本体１３Ａ，１５Ａには、第１の実施形態と同様に両目タイプのディスプレイ本体１３Ａ、片目タイプのディスプレイ本体１５Ａが用意されている。
【００３１】
図６は、両目タイプのディスプレイ本体１３Ａの光学系を示している。
【００３２】
右目用表示部ＨＲおよび左目用表示部ＨＬは、それぞれ表示素子３７、レンズ３９、ハーフミラー４５を有している。ハーフミラー４５は、表示素子３７に表示された画像を反射して、使用者の右目ＩＲまたは左目ＩＬに導く。右目用表示部ＨＲおよび左目用表示部ＨＬは、ハーフミラー４５を通して前方を透過して見ることができる透過タイプとされている。なお、片目タイプのディスプレイ本体１５Ａは、両目タイプの片方の表示素子３７、レンズ３９、ハーフミラー４５のみを有している点を除いて両目タイプのディスプレイ本体１３Ａと同様なため詳細な説明を省略する。
【００３３】
図７は、フレーム本体１９に両目タイプのディスプレイ本体１３Ａを装着した状態を示している。フレーム本体１９には、第１の実施形態と同様にしてディスプレイ本体１３Ａが装着される。この状態では、ディスプレイ本体１３Ａの右目用表示部ＨＲおよび左目用表示部ＨＬがハーフミラー４５を用いた透過タイプであるため、ディスプレイ本体１３Ａの前方を眼鏡レンズ４３を介して目視することができる。なお、片目タイプのディスプレイ本体１５Ａは図４と同様にしてフレーム本体１９に装着される。従って、取り付けた状態の図面を省略する。
【００３４】
この実施形態においても第１の実施形態と同様の効果を得ることができる。
(実施形態の補足事項)
以上、本発明を上述した実施形態によって説明してきたが、本発明の技術的範囲は上述した実施形態に限定されるものではなく、例えば、以下のような形態でも良い。
【００３５】
(１)上述した実施形態では、眼鏡フレーム１１に形成される溝部２９に、ディスプレイ本体１３，１５，１３Ａ，１５Ａに形成される突出部３１を挿入支持してディスプレイ本体１３，１５，１３Ａ，１５Ａを眼鏡フレーム１１に着脱自在に取り付けた例について説明したが、例えば、眼鏡フレームとディスプレイ本体とを磁力を用いて着脱自在に取り付けても良い。
【００３６】
(２)上述した実施形態では、眼鏡フレーム１１に形成される溝部２９に、ディスプレイ本体１３，１５，１３Ａ，１５Ａに形成される突出部３１を嵌挿し、溝部２９と突出部３１との間の摩擦抵抗により眼鏡フレーム１１に対するディスプレイ本体１３，１５，１３Ａ，１５Ａの位置調整を行った例について説明したが、例えば、螺子、ラックとピニオン等により位置調整を行うようにしても良い。
【００３７】
(３)上述した実施形態では、眼鏡フレーム１１のフレーム本体１９の中央に取付部２５を形成した例について説明したが、例えば、フレーム本体１９の右側または左側に偏らせても良く、また、つる部２１等に設けても良い。
【００３８】
(４)上述した実施形態では、使用者の目的、好み等に応じて両目タイプと片目タイプのディスプレイ本体１３，１５，１３Ａ，１５Ａを使い分けた例について説明したが、例えば、透過タイプと非透過タイプのディスプレイ本体を使い分けるようにしても良い。また、両目タイプと片目タイプおよび透過タイプと非透過タイプのディスプレイ本体を使い分けるようにしても良い。
【００３９】
(５)上述した実施形態では、ディスプレイ本体１３，１５，１３Ａ，１５Ａの突出部３１の上面に接続端子３３を配置し、取付部２５の溝部２９に端子板３５を配置した例について説明したが、例えば、突出部の前面に接続端子を突出して形成し、この接続端子を取付部側の凹部に嵌挿して接続するようにしても良い。
【００４０】
(６)上述した実施形態では、ディスプレイ本体１３，１５，１３Ａ，１５Ａをコントローラ１７にケーブル３７を介して接続した例について説明したが、例えばケーブルを使用することなく無線通信で接続するようにしても良い。
【図面の簡単な説明】
【００４１】
【図１】本発明の眼鏡ディスプレイの第１の実施形態を示す分解斜視図である。
【図２】図１のディスプレイ本体の光学系を示す説明図である。
【図３】図１の眼鏡フレームに両目タイプのディスプレイ本体を装着した状態を示す説明図である。
【図４】図１の眼鏡フレームに片目タイプのディスプレイ本体を装着した状態を示す説明図である。
【図５】本発明の眼鏡ディスプレイの第２の実施形態を示す分解斜視図である。
【図６】図５のディスプレイ本体の光学系を示す説明図である。
【図７】図５の眼鏡フレームに両目タイプのディスプレイ本体を装着した状態を示す説明図である。
【符号の説明】
【００４２】
１１…眼鏡フレーム、１３，１５，１３Ａ，１５Ａ…ディスプレイ本体、１９…フレーム本体、２５…取付部、２７…被取付部、２９…溝部、３１…突出部。
【図１】
2009163049.tif 000003
【図２】
2009163049.tif 000004
【図３】
2009163049.tif 000005
【図４】
2009163049.tif 000006
【図５】
2009163049.tif 000007
【図６】
2009163049.tif 000008
【図７】
2009163049.tif 000009